【手続補正書】
【提出日】平成26年7月7日(2014.7.7)
【手続補正１】
【補正対象書類名】明細書
【補正対象項目名】発明の名称
【補正方法】変更
【補正の内容】
【発明の名称】情報処理装置、情報処理システム、その制御方法およびプログラム
【手続補正２】
【補正対象書類名】明細書
【補正対象項目名】０００９
【補正方法】変更
【補正の内容】
【０００９】
本発明は、携帯端末の向き、及び情報に対応する向きの情報に応じて、ユーザにとって有益な情報を簡便にユーザに示すことを目的とする。
【手続補正３】
【補正対象書類名】明細書
【補正対象項目名】００１０
【補正方法】変更
【補正の内容】
【００１０】
本発明は、携帯端末と、前記携帯端末において再生されるファイルを、当該ファイルにかかる方向を示す第２のベクトル情報と対応付けて記憶する記憶手段を備える情報処理装置と、を含む情報処理システムであって、前記携帯端末の向いている方向を示すベクトルである第１のベクトル情報を特定する特定手段と、前記情報処理装置が、前記特定手段で特定した前記第１のベクトル情報の示す方向に向かう方向を示す、前記記憶手段に記憶された前記第２のベクトル情報に対応するファイルを、前記携帯端末に受信させるべく送信する送信手段と、前記携帯端末が、前記送信手段により送信された、前記第２のベクトル情報に対応するファイルを受信する受信する受信手段と、前記受信手段で受信した、前記第１のベクトル情報の示す方向に向かう方向を示す、前記記憶手段に記憶された前記第２のベクトル情報に対応するファイルを、前記携帯端末において再生する再生手段と、を備えることを特徴とする。
【手続補正４】
【補正対象書類名】明細書
【補正対象項目名】００１１
【補正方法】変更
【補正の内容】
【００１１】
本発明によれば、携帯端末の向き、及び情報に対応する向きの情報に応じて、ユーザにとって有益な情報を簡便にユーザに示すことが可能になる。具体的には、例えば、世界座標に附与する情報に、向きの情報を対応付けることにより、当該情報の向きとユーザの所持する携帯端末の向きとが定められた条件で一致した場合に、当該携帯端末に対して情報提供が行われることとなる。
【手続補正５】
【補正対象書類名】特許請求の範囲
【補正対象項目名】全文
【補正方法】変更
【補正の内容】
【特許請求の範囲】
【請求項１】
携帯端末と、前記携帯端末において再生されるファイルを、当該ファイルにかかる方向を示す第２のベクトル情報と対応付けて記憶する記憶手段を備える情報処理装置と、を含む情報処理システムであって、
前記携帯端末の向いている方向を示すベクトルである第１のベクトル情報を特定する特定手段と、
前記情報処理装置が、前記特定手段で特定した前記第１のベクトル情報の示す方向に向かう方向を示す、前記記憶手段に記憶された前記第２のベクトル情報に対応するファイルを、前記携帯端末に受信させるべく送信する送信手段と、
前記携帯端末が、前記送信手段により送信された、前記第２のベクトル情報に対応するファイルを受信する受信する受信手段と、
前記受信手段で受信した、前記第１のベクトル情報の示す方向に向かう方向を示す、前記記憶手段に記憶された前記第２のベクトル情報に対応するファイルを、前記携帯端末において再生する再生手段と、
を備えることを特徴とする情報処理システム。
【請求項２】
前記携帯端末は、
前記受信手段で受信した、前記第１のベクトル情報の示す方向に向かう方向を示す、前記第２のベクトルに対応するオブジェクトを表示画面に表示する表示手段と、
前記表示手段で表示した前記オブジェクトの選択を受け付ける選択受付手段と、
を備え、
前記再生手段は、前記選択受付手段で選択を受け付けたオブジェクトに対応するベクトルである、前記第２のベクトルに対応する前記ファイルであって、前記受信手段で受信したファイルを再生することを特徴とする請求項１に記載の情報処理システム。
【請求項３】
前記オブジェクトは、前記オブジェクトに対応するベクトルである、前記第２のベクトル情報に対応するファイルの再生が可能な領域である再生可能領域を示し、
前記情報処理システムは、更に、
前記携帯端末が、前記携帯端末の位置情報を取得する位置情報取得手段と、
前記位置情報取得手段で取得された前記携帯端末の位置情報に基づいて、当該携帯端末が、前記選択受付手段で選択を受け付けたオブジェクトに対応するベクトルである前記第２のベクトル情報のオブジェクトが示す、前記再生可能領域内にあるかを判定する判定手段と、
を備え、
前記送信手段は、前記選択受付手段で選択を受け付けた前記オブジェクトに対応するベクトルである、前記第２のベクトルに対応するファイルを前記携帯端末に受信させるべく送信し、
前記受信手段は、前記選択受付手段で選択を受け付けた前記オブジェクトに対応するベクトルである、前記第２のベクトルに対応するファイルを受信し、
前記再生手段は、前記判定手段で、前記携帯端末が当該再生可能領域内にあると判定した場合に、前記受信手段で受信したファイルを、前記携帯端末において再生することを特徴とする請求項２に記載の情報処理システム。
【請求項４】
前記オブジェクトは、前記携帯端末の表示部に表示される地図上の前記第２のベクトル情報を示す画像、又は、前記携帯端末の撮像部により撮像された画像に重畳する、拡張現実における画像であることを特徴とする請求項２又は３に記載の情報処理システム。
【請求項５】
前記再生手段は、前記再生手段によるファイルの再生が開始された場合は、再生中の前記ファイルに対応する前記第２のベクトル情報の示す方向が、前記第１のベクトル情報の示す方向に向かない状態になった場合であっても、再生を継続することを特徴とする請求項１乃至４のいずれか１項に記載の情報処理システム。
【請求項６】
携帯端末と、前記携帯端末において再生されるファイルを、当該ファイルにかかる方向を示す第２のベクトル情報と対応付けて記憶する記憶手段を備える情報処理装置と、を含む情報処理システムの制御方法であって、
前記携帯端末の向いている方向を示すベクトルである第１のベクトル情報を特定する特定ステップと、
前記情報処理装置が、前記特定ステップで特定した前記第１のベクトル情報の示す方向に向かう方向を示す、前記記憶手段に記憶された前記第２のベクトル情報に対応するファイルを、前記携帯端末に受信させるべく送信する送信ステップと、
前記携帯端末が、前記送信ステップにより送信された、前記第２のベクトル情報に対応するファイルを受信する受信する受信ステップと、
前記受信ステップで受信した、前記第１のベクトル情報の示す方向に向かう方向を示す、前記記憶手段に記憶された前記第２のベクトル情報に対応するファイルを、前記携帯端末において再生する再生ステップと、
を備えることを特徴とする情報処理システムの制御方法。
【請求項７】
携帯端末と、前記携帯端末において再生されるファイルを、当該ファイルにかかる方向を示す第２のベクトル情報と対応付けて記憶する記憶手段を備える情報処理装置と、を含む情報処理システムで実行が可能なプログラムあって、
前記情報処理システムを、
前記携帯端末の向いている方向を示すベクトルである第１のベクトル情報を特定する特定手段と、
前記情報処理装置が、前記特定手段で特定した前記第１のベクトル情報の示す方向に向かう方向を示す、前記記憶手段に記憶された前記第２のベクトル情報に対応するファイルを、前記携帯端末に受信させるべく送信する送信手段と、
前記携帯端末が、前記送信手段により送信された、前記第２のベクトル情報に対応するファイルを受信する受信する受信手段と、
前記受信手段で受信した、前記第１のベクトル情報の示す方向に向かう方向を示す、前記記憶手段に記憶された前記第２のベクトル情報に対応するファイルを、前記携帯端末において再生する再生手段として機能させることを特徴とする情報処理システムのプログラム。
【請求項８】
携帯端末の向いている方向を示すベクトルである第１のベクトル情報を特定する特定手段と、前記特定手段で特定した前記第１のベクトル情報の示す方向に向かう方向を示す第２のベクトル情報に対応するファイルを、情報処理装置より受信する受信する受信手段と、前記受信手段で受信した前記第２のベクトル情報に対応するファイルを再生する再生手段と、を備える携帯端末と通信可能であり、前記携帯端末において再生されるファイルを、当該ファイルにかかる方向を示す第２のベクトル情報と対応付けて記憶する記憶手段を備える情報処理装置であって、
前記携帯端末の再生手段において、前記第１のベクトル情報の示す方向に向かう方向を示す前記第２のベクトル情報に対応するファイル再生させるべく、前記特定手段で特定した前記第１のベクトル情報の示す方向に向かう方向を示す、前記記憶手段に記憶された前記第２のベクトル情報に対応するファイルを、前記携帯端末に受信させるべく送信する送信手段と
を備えることを特徴とする情報処理装置。
【請求項９】
携帯端末の向いている方向を示すベクトルである第１のベクトル情報を特定する特定手段と、前記特定手段で特定した前記第１のベクトル情報の示す方向に向かう方向を示す第２のベクトル情報に対応するファイルを、情報処理装置より受信する受信する受信手段と、前記受信手段で受信した前記第２のベクトル情報に対応するファイルを再生する再生手段と、を備える携帯端末と通信可能であり、前記携帯端末において再生されるファイルを、当該ファイルにかかる方向を示す第２のベクトル情報と対応付けて記憶する記憶手段を備える情報処理装置の制御方法であって、
前記携帯端末の再生手段において、前記第１のベクトル情報の示す方向に向かう方向を示す前記第２のベクトル情報に対応するファイル再生させるべく、前記特定手段で特定した前記第１のベクトル情報の示す方向に向かう方向を示す、前記記憶手段に記憶された前記第２のベクトル情報に対応するファイルを、前記携帯端末に受信させるべく送信する送信ステップと
を含むことを特徴とする情報処理装置の制御方法。
【請求項１０】
携帯端末の向いている方向を示すベクトルである第１のベクトル情報を特定する特定手段と、前記特定手段で特定した前記第１のベクトル情報の示す方向に向かう方向を示す第２のベクトル情報に対応するファイルを、情報処理装置より受信する受信する受信手段と、前記受信手段で受信した前記第２のベクトル情報に対応するファイルを再生する再生手段と、を備える携帯端末と通信可能であり、前記携帯端末において再生されるファイルを、当該ファイルにかかる方向を示す第２のベクトル情報と対応付けて記憶する記憶手段を備える情報処理装置で実行が可能なプログラムであって、
前記情報処理装置を、
前記携帯端末の再生手段において、前記第１のベクトル情報の示す方向に向かう方向を示す前記第２のベクトル情報に対応するファイル再生させるべく、前記特定手段で特定した前記第１のベクトル情報の示す方向に向かう方向を示す、前記記憶手段に記憶された前記第２のベクトル情報に対応するファイルを、前記携帯端末に受信させるべく送信する送信手段として機能させることを特徴とする情報処理装置のプログラム。
【請求項１１】
表示部を備える携帯端末と、前記携帯端末に受信させるべく送信されるファイルを、当該ファイルにかかる方向を示す第２のベクトル情報と対応付けて記憶する記憶手段を備える情報処理装置と、を含む情報処理システムであって、
前記携帯端末の向いている方向を示すベクトルである第１のベクトル情報を特定する特定手段と、
前記情報処理装置が、前記特定手段で特定した前記第１のベクトル情報の示す方向に向かう方向を示す前記第２のベクトル情報に対応するオブジェクトを前記携帯端末の表示部に表示させるべく、前記第１のベクトル情報の示す方向に向かう方向を示す、前記記憶手段に記憶された前記第２のベクトル情報を送信する送信手段と、
前記携帯端末が、前記送信手段により送信された、前記第１のベクトル情報の示す方向に向かう方向を示す前記第２のベクトル情報に対応するオブジェクトを、前記携帯端末の表示部に表示する表示手段と、
を備えることを特徴とする情報処理システム。
【請求項１２】
前記表示手段は、前記第１のベクトル情報の示す方向と相対する方向を示す前記第２のベクトル情報に対応するオブジェクトを、前記携帯端末の表示部に表示することを特徴とする請求項１１に記載の情報処理システム。
【請求項１３】
前記オブジェクトは、前記携帯端末の表示部に表示される地図上の前記第２のベクトル情報を示す画像、又は、前記携帯端末の撮像部により撮像された画像に重畳する、拡張現実における画像であることを特徴とする請求項１２に記載の情報処理システム。
【請求項１４】
表示部を備える携帯端末と、前記携帯端末に受信させるべく送信されるファイルを、当該ファイルにかかる方向を示す第２のベクトル情報と対応付けて記憶する記憶手段を備える情報処理装置と、を含む情報処理システムの制御方法であって、
前記携帯端末の向いている方向を示すベクトルである第１のベクトル情報を特定する特定ステップと、
前記情報処理装置が、前記特定ステップで特定した前記第１のベクトル情報の示す方向に向かう方向を示す前記第２のベクトル情報に対応するオブジェクトを前記携帯端末の表示部に表示させるべく、前記第１のベクトル情報の示す方向に向かう方向を示す、前記記憶手段に記憶された前記第２のベクトル情報を送信する送信ステップと、
前記携帯端末が、前記送信ステップにより送信された、前記第１のベクトル情報の示す方向に向かう方向を示す前記第２のベクトル情報に対応するオブジェクトを、前記携帯端末の表示部に表示する表示ステップと、
を含むことを特徴とする情報処理システムの制御方法。
【請求項１５】
表示部を備える携帯端末と、前記携帯端末に受信させるべく送信されるファイルを、当該ファイルにかかる方向を示す第２のベクトル情報と対応付けて記憶する記憶手段を備える情報処理装置と、を含む情報処理システムで実行が可能なプログラムであって、
前記携帯端末の向いている方向を示すベクトルである第１のベクトル情報を特定する特定手段と、
前記情報処理システムを、
前記情報処理装置が、前記特定手段で特定した前記第１のベクトル情報の示す方向に向かう方向を示す前記第２のベクトル情報に対応するオブジェクトを前記携帯端末の表示部に表示させるべく、前記第１のベクトル情報の示す方向に向かう方向を示す、前記記憶手段に記憶された前記第２のベクトル情報を送信する送信手段と、
前記携帯端末が、前記送信手段により送信された、前記第１のベクトル情報の示す方向に向かう方向を示す前記第２のベクトル情報に対応するオブジェクトを、前記携帯端末の表示部に表示する表示手段として機能させることを特徴とする情報処理システムのプログラム。
【請求項１６】
携帯端末の向いている方向を示すベクトルである第１のベクトル情報を特定する特定手段と、前記第１のベクトル情報の示す方向に向かう方向を示す第２のベクトル情報であって、情報処理装置から送信された当該第２のベクトル情報に対応するオブジェクトを表示部に表示する表示手段とを備える携帯端末と通信可能な、前記携帯端末に受信させるべく送信されるファイルを、当該ファイルにかかる方向を示す第２のベクトル情報と対応付けて記憶する記憶手段を備える情報処理装置であって、
前記特定手段で特定した前記第１のベクトル情報の示す方向に向かう方向を示す前記第２のベクトル情報に対応するオブジェクトを前記携帯端末の表示部に表示させるべく、前記記憶手段に記憶された、前記第１のベクトル情報の示す方向に向かう方向を示す第２のオブジェクトを送信する送信手段と、
を備えることを特徴とする情報処理装置。
【請求項１７】
携帯端末の向いている方向を示すベクトルである第１のベクトル情報を特定する特定手段と、前記第１のベクトル情報の示す方向に向かう方向を示す第２のベクトル情報であって、情報処理装置から送信された当該第２のベクトル情報に対応するオブジェクトを表示部に表示する表示手段とを備える携帯端末と通信可能な、前記携帯端末に受信させるべく送信されるファイルを、当該ファイルにかかる方向を示す第２のベクトル情報と対応付けて記憶する記憶手段を備える情報処理装置の制御方法であって、
前記特定手段で特定した前記第１のベクトル情報の示す方向に向かう方向を示す前記第２のベクトル情報に対応するオブジェクトを前記携帯端末の表示部に表示させるべく、前記記憶手段に記憶された、前記第１のベクトル情報の示す方向に向かう方向を示す第２のオブジェクトを送信する送信ステップと、
を含むことを特徴とする情報処理装置の制御方法。
【請求項１８】
携帯端末の向いている方向を示すベクトルである第１のベクトル情報を特定する特定手段と、前記第１のベクトル情報の示す方向に向かう方向を示す第２のベクトル情報であって、情報処理装置から送信された当該第２のベクトル情報に対応するオブジェクトを表示部に表示する表示手段とを備える携帯端末と通信可能な、前記携帯端末に受信させるべく送信されるファイルを、当該ファイルにかかる方向を示す第２のベクトル情報と対応付けて記憶する記憶手段を備える情報処理装置で実行が可能なプログラムであって、
前記情報処理装置を、
前記特定手段で特定した前記第１のベクトル情報の示す方向に向かう方向を示す前記第２のベクトル情報に対応するオブジェクトを前記携帯端末の表示部に表示させるべく、前記記憶手段に記憶された、前記第１のベクトル情報の示す方向に向かう方向を示す第２のオブジェクトを送信する送信手段として機能させることを特徴とする情報処理装置のプログラム。